(57)【要約】【課題】多数枚のフィルムを安定収納保管すると共に、フィルムの挿入が容易で、かつフィルムの挿入収納の繰返しによっても局部的破損もなく、長期間使用できる簡便構造のフィルムフォルダーを提供する。【解決手段】所定の大きさの透明な合成樹脂シート２の下面に同形の透明合成樹脂シート３を重合してその周縁を熱溶着ライン１２により固着し、その内部に多数個のフィルム収納区画部４を非連続の熱溶着ライン１０により区画形成する。この内部に三角ベロー部１５を有するフィルム収納部６を形成し、三角ベロー部１５のコーナ１６には折り線１７を形成する。また、三角ベロー部１５の縦線１３及び横線１４の基端部には曲線部１８，１８を形成する。フィルム５は三角ベロー部１５を開口することによりフィルム収納部６内に挿入され、縦方向又は横方向用点状熱溶着部８，９により安定支持される。【選択図】図１
2005074927.tif 000002
【特許請求の範囲】
【請求項１】
所定の大きさの二枚の透明または半透明の樹脂シートを重合し、その周縁を熱溶着して一体化すると共にその内部に格子状の熱溶着ラインにより多数個に区画された四角状のフィルム収納区画部を形成し、該フィルム収納区画部にフィルム小片を収納するようにしたフィルムフォルダーであって、
該フィルムフォルダーの前記フィルム収納区画部の片側樹脂シートに前記フィルム小片を出入自在に収納保持するフィルム収納部を形成し、このフィルム収納部の周辺共通のコーナにおける縦線と横線で切断し前記コーナを頂部として開閉する三角ベロー部を形成し、この三角ベロー部を開口して前記フィルム小片を収納することを特徴とするフィルムフォルダー。
【請求項２】
所定の大きさの二枚の樹脂シートを重合し、その周縁を熱溶着して一体化すると共にその内部に格子状の熱溶着ラインにより多数個に区画された四角状のフィルム収納区画部を形成し、該フィルム収納区画部にフィルム小片を収納するようにしたフィルムフォルダーであって、
二枚の前記樹脂シートが硬質性樹脂シートと軟質性樹脂シートとからなり、この硬質性樹脂シート側に前記フィルム収納区画部を形成して配列し、このフィルム収納区画部に前記フィルム小片を出入自在に収納保持するフィルム収納部と、収納される前記フィルム小片の内容を表示する表示ラベル部と、前記フィルム収納部内に収納された前記フィルム小片の両端縁を支持安定する点状熱溶着部とを有するものからなり、前記フィルム収納部の周辺共通のコーナを有する縦線と横線で切断し前記コーナを頂部として開閉する三角ベロー部を形成し該三角ベロー部を開口して前記フィルム小片を収納することを特徴とするフィルムフォルダー。
【請求項３】
二枚の樹脂シートを重合し、その周縁を熱溶着して一体化すると共にその内部に格子状の熱溶着ラインにより多数個に区画された四角状のフィルム収納区画部を形成し、該フィルム収納区画部にフィルム小片を収納するようにしたフィルムフォルダーにおいて、
該フィルムフォルダーの前記フィルム収納区画部が、前記フィルム小片を出入自在に収納保持するフィルム収納部と、収納される前記フィルム小片の内容を表示する表示ラベルの貼着部と、前記フィルム収納部内に収納された前記フィルム小片の両端縁を支持安定する複数の点状熱溶着部とを有するものからなり、前記フィルム収納部が、前記硬質性樹脂シートの周辺共通のコーナを形成し、縦線と横線で切断し前記コーナを頂部として開閉する三角ベロー部を形成し該三角ベロー部を開口して前記フィルム小片を収納することを特徴とするフィルムフォルダー。
【請求項４】
前記フィルム収納区画部を形成する熱溶着ラインは、隣接する熱溶着ラインとの間に非連続部を形成するものからなることを特徴とする請求項１乃至請求項３に記載のいずれか１つのフィルムフォルダー。
【請求項５】
前記三角ベロー部を形成する縦線及び横線の末端の基端部にはこれ等の線に連続して前記コーナ側に向かって曲線状に戻る曲線部が形成されることを特徴とする請求項１乃至請求項４に記載のいずれか１つのフィルムフォルダー。
【請求項６】
前記三角ベロー部の前記コーナの近接には、前記縦線及び横線に対して交差する方向の折り線が形成され、この折り線を基点とした折り曲げ部を形成することを特徴とする請求項１乃至請求項５のいずれか１つに記載のフィルムフォルダー。
【請求項７】
前記点状熱溶着部が、前記フィルム収納部に縦方向に収納される前記フィルムの両端縁に当接して支持安定する２点の縦方向点状熱溶着部と、横方向に収納された前記フィルム小片の両端縁に当接して安定支持する２点の横方向点状熱溶着部とからなることを特徴とする請求項１乃至請求項６のいずれか１つに記載のフィルムフォルダー。
【請求項８】
２点の前記横方向点状熱溶着部が、前記縦線の方向に段差を形成して配置されることを特徴とする請求項７に記載のフィルムフォルダー。
【請求項９】
前記フィルム小片が歯科用フィルムであることを特徴とする請求項１乃至請求項８のいずれか１つに記載のフィルムフォルダー。
【発明の詳細な説明】
【技術分野】
【０００１】
本発明は、歯科用の歯部の撮影に用いられる比較的小型の多数枚のフィルムを収納するフィルムフォルダーに係り、特に、フィルムの出入が容易にでき、フィルム収納部の破れも生じ難く、フィルムの収納姿勢も安定するフィルムフォルダーに関する。
【背景技術】
【０００２】
例えば、歯科用の歯部の撮影に用いられるフィルムは多数枚のネガフィルムからなり、治療や保管のため、これ等のネガフィルムを１つのフィルム収納部に収納することが必要である。勿論、歯科用に限らず、多数枚のネガ又はポジフィルムを１つのファイル内に収納保持する必要性は多い。また、書類等を収納する透明なファイルなど従来より各種のフィルムフォルダーが用いられ、例えば、図９に示すものや「特許文献１」および「特許文献２」に示すものが知られている。
【特許文献１】実用新案登録第３０６４５２１号公報（図１）
【特許文献２】特開２００２−１２７６６０号公報（図１）
【０００３】
図１０に示す従来のフィルムフォルダー１ａは、四角状の樹脂ベースシート２５に、複数枚の細長の短冊状の樹脂シート２６を縦方向に沿って適宜間隔を隔てて並設し、横方向熱溶着線２７と縦方向熱溶着線２８とにより樹脂ベースシート２５に溶着し、多数個のファイル収納部２９を形成するものからなる。このフィルム収納部２９は横方向熱溶着線２７により隣接するフィルム収納部２９と区画されると共に熱溶着されてない上端部の開口部３０から夫々のフィルム収納部２９内にフィルムを出入させて収納するようにしたものである。また、フィルム収納部２９には収納されたフィルムの内容を表示する表示ラベルを貼着する貼着部３２が夫々形成される。２１はファイリング用のパンチ孔である。
【０００４】
また、「特許文献１」の実用新案登録第３０６４５２１号公報の「ネガ・ポジフィルム収納シート及びアルバム」は、その図１に示すように、四角状の透明シート（１）上に多数個のポケット（２）を形成するために別シートを熱溶着して形成すると共に透明シート（１）上にベタ印刷部（３）を設けたものがある。
【０００５】
また、「特許文献２」の特開２００２−１２７６６０号公報の「書類等ホルダ」は紙又は合成樹脂からなるシート（１）内に１枚のシートを収納保管するものであるが、その（図１）に示すようにシート（１）のコーナの部分に表示片（４１，４２）が凸出形成されている。この表示片（４１），（４２）の存在によりシート（１）の開放がやり易くなる効果が生ずる。
【発明の開示】
【発明が解決しようとする課題】
【０００６】
図１０に示すフィルムフォルダー１ａの場合は図示のように縦方向熱溶着ライン２８と横方向熱溶着ライン２７とは互いに共通の交点を有するように連続的に形成されている。また、フィルム収納部２９を連通する縦方向熱溶着ライン２８は横方向熱溶着ライン２７とは交差していないが、樹脂シート２６の開口部３０側まで伸びないで途中までしか熱溶着されていないものからなる。
以上の構造のフィルムフォルダー１ａのフィルム収納部２９にフィルムを収納するには樹脂シート２６の開口部３０を開いてフィルムを収納する必要があり、この場合、縦方向熱溶着ライン２８の開口部３０との交差部３１やフィルム収納部２９を区画する縦方向熱溶着ライン２８の頂部の熱溶着点３３に比較的大きな力が作用する。このため、連続使用によりこの交差部３１や熱溶着点３３にはがれや切れ目が生じフィルム収納部２９の区画性を低下させる問題点が生ずる。この熱溶着部は縦線と横線で重なる部分では高温になりやすい。そのため厚みを生じることになっていた。
また、フィルムを収納する場合に樹脂シート２６の開口部３０全体を開放する必要があり、フィルムの出入が円滑に行われない問題点がある。また、フィルム収納部２９へのフィルムの収納は、フィルムの下面が横方向熱溶着ラインに当接した状態で安定収納されることになるが、この状態にフィルムを常時収納することが難しい場合があり、安定した収納姿勢が得られない問題点がある。
【０００７】
また、「特許文献１」のアルバムも、前記の説明のようにポケット（２）を熱溶着により形成するもので縦横の熱溶着ラインが交差してポケット（２）の部分が形成されており、図１０に示したフィルムフォルダー１ａとほぼ同様な問題点を有する。
【０００８】
また、「特許文献２」の特開２００２−１０７６６０号の「書類ホルダ」の表示片は後に説明する本発明の三角ベロー部に形成される折り線を基点とする折り曲げ部と似た効果を有するものであるが、この表示片はホルダの開口動作を容易にする効果はあるが、本発明の折り曲げ部のようにフィルムの挿入口の拡口作用を有するものでなく、また、特別に突出形成させる必要があり、基本的には本発明とは相異する。
【０００９】
本発明は、以上の問題点を解決するもので、フィルムの出入が容易に、かつ確実にでき、収納姿勢も安定し、かつ繰返しフィルム収納によっても破損や切れが生じ難く、長期間使用し得るフィルムフォルダーを提供することを目的とする。
【課題を解決するための手段】
【００１０】
本発明は、以上の目的を達成するために、請求項１の発明は、所定の大きさの二枚の透明または半透明の樹脂シートを重合し、その周縁を熱溶着して一体化すると共にその内部に格子状の熱溶着ラインにより多数個に区画された四角状のフィルム収納区画部を形成し、該フィルム収納区画部にフィルム小片を収納するようにしたフィルムフォルダーであって、該フィルムフォルダーの前記フィルム収納区画部の表側樹脂シートに前記フィルム小片を出入自在に収納保持するフィルム収納部を形成し、このフィルム収納部の周辺共通のコーナにおける縦線と横線で切断し前記コーナを頂部として開閉する三角ベロー部を形成し、この三角ベロー部を開口して前記フィルム小片を収納するフィルムフォルダーの構成である。
【００１１】
また、本発明の前記課題は、所定の大きさの二枚の樹脂シートを重合し、その周縁を熱溶着して一体化すると共にその内部に格子状の熱溶着ラインにより多数個に区画された四角状のフィルム収納区画部を形成し、該フィルム収納区画部にフィルム小片を収納するようにしたフィルムフォルダーであって、二枚の前記樹脂シートが硬質性樹脂シートと軟質性樹脂シートとからなり、この硬質性樹脂シート側に前記フィルム収納区画部を形成して配列し、このフィルム収納区画部に前記フィルム小片を出入自在に収納保持するフィルム収納部と、収納される前記フィルム小片の内容を表示する表示ラベル部と、前記フィルム収納部内に収納された前記フィルム小片の両端縁を支持安定する点状熱溶着部とを有するものからなり、前記フィルム収納部の周辺共通のコーナを有する縦線と横線で切断し前記コーナを頂部として開閉する三角ベロー部を形成し該三角ベロー部を開口して前記フィルム小片を収納するフィルムフォルダーの構成によって達成できる。
【００１２】
更に、本発明の前記課題は、所定の大きさの軟質性樹脂シートに同形の硬質性樹脂シートを重合し、その周縁を熱溶着して一体化すると共にその内部に熱溶着ラインにより多数個に区画された四角状のフィルム収納区画部を形成し、該フィルム収納区画部にフィルム小片を収納するようにしたフィルムフォルダーであって、該フィルムフォルダーの前記フィルム収納区画部が、前記フィルム小片を出入自在に収納保持するフィルム収納部と、収納される前記フィルム小片の内容を表示する表示ラベルの貼着部と、前記フィルム収納部内に収納された前記フィルム小片の両端縁を支持安定する複数の点状熱溶着部とを有するものからなり、前記フィルム収納部の周辺共通のコーナを有する縦線と横線で切断し前記コーナを頂部として開閉する三角ベロー部を形成し該三角ベロー部を開口して前記フィルム小片を収納するフィルムフォルダーの構成によって達成できる。
【００１３】
前記本発明の課題は、前記フィルム収納区画部を形成する熱溶着ラインは、隣接する熱溶着ラインとの間に非連続部を形成するフィルムフォルダーの構成または、前記三角ベロー部を形成する縦線及び横線の末端の基端部にはこれ等の線に連続して前記コーナ側に向かって切れ止めを目的とする曲線状に戻る曲線部が形成されるフィルムフォルダーの構成によって達成できる。
【００１４】
更に、前記本発明の課題は、前記三角ベロー部の前記コーナの近接には、前記縦線及び横線に対して交差する方向の折り線が形成され、この折り線を基点とした折り曲げ部を形成する構成、前記点状熱溶着部が、前記フィルム収納部に縦方向に収納される前記フィルム小片の両端縁に当接して支持安定する２点の縦方向点状熱溶着部と、横方向に収納された前記フィルム小片の両端縁に当接して支持安定する２点の横方向点状熱溶着部とからなる構成によって達成できる。
【００１５】
前記課題は、２点の前記横方向点状熱溶着部が、前記縦線の方向に段差を形成して配置される構成及び前記フィルムが歯科用フィルムである構成によって達成できる。
【発明の効果】
【００１６】
１）本発明のフィルムフォルダーによれば、収納用のフィルム小片は多数個のフィルム収納部に三角ベロー部の開放によって収納するフィルムの横長及び縦長の状態の任意の方向から容易に挿入され、かつフィルム収納部の底部に配設した点状熱溶着部により収納したフィルム小片が安定支持される。
２）また、本発明のフィルムフォルダーによれば、フィルム収納部を仕切る熱溶着ラインが隣接箇所において非連続部を形成するため交差部における熱硬化がなくなり、柔らかさを保持することができる。これにより、フィルム収納部の対開放精度の向上が図れる。
３）また、本発明フィルムフォルダーによればフィルム収納部の三角ベロー部を形成する横線及び縦線の末端の基端部に曲線部が形成され、従来技術のような打ち抜き孔の如きものがないため製造時に切屑が発生せず、かつ三角ベロー部の開放時における基端部への無理な力の作用が低減され、耐久性の向上が図れる。
４）また、本発明フィルムフォルダーによれば、三角ベロー部のコーナ近傍に形成される折り線を基点として折り曲げ部が形成されるため、この折り曲げ部を折り曲げた分だけ三角ベロー部のコーナが開き、かつ三角ベロー部の開口作用が容易にでき、フィルムの挿入が容易に行うことができる。
【００１７】
５）また、本発明フィルムフォルダーによれば、複数の点状熱溶着部を設けることによりフィルム収納部に縦方向又は横方向に挿入されたフィルム小片の両端縁が当接して安定した状態で支持することができる。
６）また、本発明フィルムフォルダーによれば、横方向に挿入されるフィルム小片に当接する点状熱溶着部が段差を有する位置に形成されているため、フィルム小片の横挿入が比較的容易に入れられ、挿入後は抜け難い。
７）また、本発明フィルムフォルダーによれば、収納されるフィルムが歯科用、通称デンタルフィルムのものからなり、多数枚のデンタルフィルムを纏めて収納でき、診断に使用するときに便利である。また、このデンタルフィルムを保管する必要のあるフィルムフォルダーとして特に有効である。
８）本発明のフィルムフォルダーは、三角ベロー部が内側に折れ線を形成してあるから、フィルムを挿入するときの開口が容易に行える。内方に折れているので、他数枚を収納する時、又フォルダーの出し入れの際には引っかかりが軽減される。
【発明を実施するための最良の形態】
【００１８】
以下、本発明フィルムフォルダーの実施の形態を図面を参照して詳述する。
図１は本発明のフィルムフォルダー１の全体構造を示すものである。フィルムフォルダー１は、透明または半透明の厚さ０.１mm〜２.０mm樹脂シートを二枚重ねたものである。実施形態として表面側の透明または半透明の硬質性樹脂の１つである硬質性塩化ビニルの表シート２と、裏面側を透明または半透明の軟質性樹脂の１つである軟質性塩化ビニルの裏シート３とを整合したものからなり、その周縁は熱溶着ライン１２により固着される。その一側にはファイル用の孔２１が設けられていてもよい。後日パンチヤなどで孔開けても良い。
【００１９】
また、表裏シート２，３の内部には多数個のフィルム収納区画部４（図示では１２箇所）が縦横の熱溶着ライン１０により区画されて形成されている。なお、図１ないし図３に示すように、隣接する熱溶着ライン１０は共通の交点がなく、非連続部１１がすべての位置において形成されている。
【００２０】
フィルム収納区画部４内にはフィルム５（図４等に示す）を収納するフィルム収納部６と、収納されたフィルム５の内容を表示する表示ラベル（図略）を貼着する貼着部７と、収納されたフィルム５の下面を支持する縦方向用点状熱溶着部８と横方向用点状熱溶着部９が夫々設けられている。
【００２１】
図１，図２に示すように、フィルム収納部６には縦線１３と横線１４とが表シート２の部分のみを切断した形で互いに直交した状態で切断形成されて三角ベロー部１５を形成する。この三角ベロー部１５の縦線１３と横線１４の交差する頂部のコーナ１６の近傍には縦線１３と横線１４とに交差する方向に沿って折り線１７が形成される。また、縦線１３と横線１４の末端の基端部には曲線部１８，１８が形成される。この曲線部１８，１８は図２に示すように縦線１３や横線１４に連続した線からなり、かつコーナ１６側に向かって曲線的に戻る形状のものからなる。
【００２２】
以上の構造のフィルム収納部６の三角ベロー部１５は、図４（ａ），（ｂ）に示すように、そのコーナ１６を折り線１７を基点として下方に曲げることができ、この曲がり分だけ三角ベロー部１５は裏面側の裏シート３から離れることができる。これにより、フィルム５はコーナ１６のこの隙間１９から容易に三角ベロー部１５の内部に挿入し易くする。また、図５に示すように、三角ベロー部１５は例えばその横線１４の部分に指２０を入れることによって容易に開口でき、コーナ１６から挿入されたフィルム５を三角ベロー部１５内に挿入でき、結果としてフィルム収納部６内にフィルム５を挿入して収納することができる。以上により、図１に示したすべてのフィルム収納部６内にフィルム５を収納することができる。なお、フィルム５は閉止された三角ベロー部１５によりフィルム収納部６内に収納される。このフィルム５の内容は貼着部７に貼着された図略の表示ラベルにより表示される。
【００２３】
フィルム収納部６内に縦長方向に収納されたフィルム５は図６（ａ）に示す２つの縦方向用点状熱溶着部８，８によりフィルム5の横位置、縦位置の状態が支持されてフィルム収納部６内に安定支持される。また、図６（ｂ）に示すように、横長方向に収納されたフィルム５は２つの横方向用点状熱溶着部９，９によりその両端縁が支持される。なお、図６（ａ）.（ｂ）に示すように縦方向用点状熱溶着部８，８は縦方向に段差のない状態で形成されているが、横方向用点状熱溶着部９，９は縦方向に段差のある状態で形成される。これは横長方向から挿入すると三角ベロー部からフィルムが抜けやすい問題がある。従って、横方向用点状熱溶着部９，９が同一ライン上にあるより段差がある方が、横方向挿入されたフィルム５の保持がより安定する。この段差の角度はフィルムの大きさによるが、現在市販されているデンタルフィルムにおいては８〜１２度位が好ましい。特に１０度が最も好ましい。
【実施例１】
【００２４】
フィルム５は図１に示すフィルムフォルダー１に収納されるが、フィルム５を収納したフィルムフォルダー１は１枚に限るものではない。図７はフィルム５を収納したフィルムフォルダーを多数枚保管するための一例を示すものである。
【実施例２】
【００２５】
図８は多数枚のフィルムフォルダー１を箱体２３内に収納した実施例を示すものである。フィルムフォルダー１は箱体２３内に安定状態で収納されるが、その内容は箱体２３の表面に貼着された説明用ラベル２４により表示される。
図９は本発明のフィルムフォルダーの他の実施形態の平面図で、隅部に指先で挟持した時の滑り止めＡが形成してある。この実施例によれば、三角ベロー部の切れ目の終端が点状熱溶着部９になっているので三角ベロー部の開閉に際しての耐久性に優れる。
【産業上の利用可能性】
【００２６】
本発明のフィルムフォルダー１は、薄葉のシート、書類やすべてのネガ・ポジフィルムの収納保管に適用されるが、特に、保管するフィルム５の数が比較的多く、かつフィルム５のサイズの比較的小さい歯科用（デンタル）フィルムの保管に好適である。しかしこれに限定するものではないことは勿論である。
【図面の簡単な説明】
【００２７】
【図１】本発明のフィルムフォルダーの全体構造を示す模式的斜視図である。
【図２】本発明のフィルムフォルダーのフィルム収納区画部の詳細構造を示す平面図である。
【図３】本発明のフィルムフォルダーの熱溶着線の交差部の非連続状態を示す部分平面図である。
【図４】本発明のフィルム収納部の三角ベロー部まわりの構造を示す部分平面図（ａ）及び図４（ｂ）のＡ−Ａ線拡大断面図。
【図５】本発明のフィルム収納部内にフィルムを挿入する状態を示す模式的斜視図。
【図６】フィルム収納部に縦方向に沿って収納されたフィルムの支持状態を示す平面図（ａ）及び横方向に沿って挿入されたフィルムの支持状態を示す平面図（ｂ）。
【図７】本発明のフィルムフォルダーを多数枚保管するための保管方法の１つを示す模式的斜視図である。
【図８】本発明のフィルムフォルダーの多数枚を箱体内への保管状態を示す模式的斜視図である。
【図９】本発明のフィルムフォルダーの他の実施例の斜視図である。
【図１０】従来のフィルムフォルダーの一例の全体構造を示す平面図である。
【符号の説明】
【００２８】
１      フィルムフォルダー
２      表シート
３      裏シート
４      フィルム収納区画部
５      フィルム
６      フィルム収納部
７      貼着部
８      縦方向用の点状熱溶着部
９      横方向用の点状熱溶着部
１０    熱溶着ライン
１１    非連続部
１２    熱溶着ライン
１３    縦線
１４    横線
１５    三角ベロー部
１６    コーナ
１７    折り線
１８    曲線部
１９    隙間
２０    指
２１    孔
２２    止めリング
２３    箱体
２４    説明用印刷部
【図１】
2005074927.tif 000003
【図２】
2005074927.tif 000004
【図３】
2005074927.tif 000005
【図４】
2005074927.tif 000006
【図５】
2005074927.tif 000007
【図６】
2005074927.tif 000008
【図７】
2005074927.tif 000009
【図８】
2005074927.tif 000010
【図９】
2005074927.tif 000011
【図１０】
2005074927.tif 000012